(57)【要約】【課題】  家庭及び業務用厨房、さらには油類を使用する現場で使用する消火器であって、油火災の初期消火を手軽に行うことが出来、消火剤は無害で環境に優しく、使用期限が過ぎた場合には洗剤として利用できる消火器の提供。【解決手段】  消火器の容器２内には可溶化相が高濃度であって、乳化分散が速い生分解性界面活性剤５と窒素ガス６を充填し、容器２の上端にはノズル４を形成した押圧ヘッド３を取付けると共に該押圧ヘッド３から下方へストロー７を延ばしている。【選択図】      図１
2005287636.tif 000002
【特許請求の範囲】
【請求項１】
家庭及び業務用厨房、さらには油類を使用する現場で使用する消化器において、該消化器の容器内には可溶化相が高濃度であって、乳化分散が速い生分解性界面活性剤を充填したことを特徴とする油火災用消化器。
【請求項２】
家庭及び業務用厨房、さらには油類を使用する現場で使用する消化器において、該消化器の容器内には可溶化相が高濃度であって、乳化分散が速い生分解性界面活性剤と窒素ガスを充填し、容器上端にはノズルを形成した押圧ヘッドを取付けると共に該押圧ヘッドから下方へストローを延ばしたことを特徴とする油火災用消化器。
【発明の詳細な説明】
【技術分野】
【０００１】
本発明は、各種油の酸化・未酸化状態を問わず油分を乳化させ、油火災を未然に防ぐ為に生分解性界面活性剤の各種油の乳化性能を利用した消火器に関するものである。
【背景技術】
【０００２】
消火器といってもその種類は数多くあり、(ａ)水槽付きポンプ消火器、(ｂ)泡消火器、(ｃ)粉末消火器、(ｄ)炭酸ガス消火器、(ｅ)酸アルカリ消火器などが知られている。これか各消化器の中でガソリンなどの油脂類の火災に対応できるものは、上記(ｂ)泡消火器、(ｃ)粉末消火器である。
ところで、上記消化器にて消化する場合、消火後には悪臭が残り、各種化学成分の熱化学反応によって消火しても油汚れや化学物質の熱変化による残渣の為に、後始末に手間がかかる場合が殆どである。
【０００３】
そして、通常の消火器の場合、その使用期限は２年間が限度とされ、その期間を過ぎれば該消火器は廃棄物として処分され、又は充填されている消化剤を交換するなどの作業が必要とされている。
【０００４】
また、消化器によっては緊急時の使用法にも定期的に消火練習などが義務化され、一般家庭において通常消火器の保管はもとより、定期検査などが面倒な為に消火器を常備することにためらいがある。一般家庭の場合、油火災は無防備に近い環境にあるといっても過言ではない。
【０００５】
また、一般家庭の簡易型消火器は消火能力を有していても、消火後の後始末に手間が掛かると共に、化学物質を使用している為に消火後に悪臭を発生する場合が殆どであることから常備していないのが一般的である。
【０００６】
又、従来の消化器では、油火災が一旦鎮火した場合であっても、鍋の中に存在する油分が継続した加熱状態にある環境下では、再発火する危険性は十分に考えられる。
【０００７】
そこで、各種油を使用する家庭や飲食店等の厨房現場において取り扱いが簡易であると共に、後始末が手軽な消火器の開発というテーマは業界が追求する課題である。そして、各種油を使用する一般家庭や業務用消火器では、消火方法や消火器に色々な問題があり、初期消火の段階で手間取ってしまうことで本格的火災発生に繋がる事故が多く報告されている。
【発明の開示】
【発明が解決しようとする課題】
【０００８】
このように、従来の消化器には上記のごとき問題がある。本発明が解決しようとする課題はこの問題点であり、油火災を簡単に消火することができ、又消化後に悪臭の発生はなく、しかも、期限の過ぎた場合であっても廃棄処分することなく洗剤として利用できる油火災用消化器を提供することである。
【課題を解決するための手段】
【０００９】
本発明に係る消化器は生分解性界面活性剤を消化剤とし、内部には窒素ガスを充填している。上記生分解性界面活性剤は油分を乳化・分散し、燃焼物の存在を無くすことが出来る。ここで、上記生分解性界面活性剤の具体的な種類は限定しないが、可溶化相が高濃度であると共に乳化分散が速く、可溶化相が低濃度で乳化分散が遅い一般的な水系洗剤とは異なる。従来の洗剤は鍋に付着した油分を分散するものではなく、剥離するに過ぎない。
【発明の効果】
【００１０】
生分解性界面活性剤を火元に吹き付けることで、油分を直ちに乳化・分散する為に燃焼物が無くなり、消火することが出来る。そして、消火後は無害な界面活性効果でそのまま洗浄することになり、火災発生現場が汚れることはない。又、生分解性界面活性剤は無臭であって、かつ２年間の有効期限を過ぎた後も、家庭用及び業務用の油落とし洗剤として最後まで使用でき、廃棄物として処分する必要はない。
【００１１】
従来、生分解性を有すとされる洗剤は危険な有害物を含んでいるものもある。また、Ｄ−リモネン系に関しては、生分解性の良さはあるが、地球温暖化係数を増加させる揮発性有機物を多く含んでいるが、これに対して本発明の消化器に充填される消化剤となる可溶化相が高濃度である生分解性界面活性剤は、無害である。又、引火性もなく、揮発性有機物もゼロであり、地球環境上も好ましい。
【実施例】
【００１２】
図１は本発明に係る消化器の一部断面を示している。この消化器１はスプレー式消化器であり、容器２の上端には押圧ヘッド３が設けられ、該押圧ヘッド３を指で押下げることで容器２内に充填されている消化剤がノズル４から噴出する。ノズル４は上記押圧ヘッド３の正面に設けられている。
【００１３】
そして、容器２には消化剤として生分解性界面活性剤５と窒素ガス６が充填され、上記押圧ヘッド３からストロー７が容器底まで延びている。押圧ヘッド３を指で押下げるならば、窒素ガス６の充填圧にて生分解性界面活性剤５はストロー７を流れてノズル４から噴出する。同図に示す消化器構造は従来から周知のものであり、他の構造にて構成した消化器を使用することは自由であり、本発明は消化器の構造に関する限定はしない。
【００１４】
ところで、本発明の特徴である上記生分解性界面活性剤５の１つとして、株式会社ベリタスが取扱っている「ＢｉｏＣａｔ−１４５」(商標)を使用することが出来る。
【００１５】
この生分解性界面活性剤５は無毒であり、FDA（米国農務省）の認可を受けている。金属に対し酸化、腐食性、塗料阻害等なく、７日間で９９％以上生分解する界面活性剤であり、EPA（米国環境保護局）（SNAP）の承認も受けていて、環境への影響は全くない。
【００１６】
「生分解性を有す」と言われる洗剤の殆どは有毒であり、危険な有害物や、「揮発性有機物」を多く含んでいる。本発明の消火器に使用する生分解性界面活性剤５は全く無害であり、引火性も無く、揮発性有機物も含んでおらず、生分解して自然に戻ることが出来る。
【００１７】
当該消火器の最大の特徴は、各種油を使用する家庭、業務用厨房に常備すれば、扱いも至って簡易である為、油が原因となる火災の初期消火に極めて有効であり、しかも無害であることから消火後の後処理が簡単である。そして、有効期間を過ぎた場合には廃棄することなく、洗剤として使用することが可能である。
【図面の簡単な説明】
【００１８】
【図１】本発明に係る消化器を示す断面図。
【符号の説明】
【００１９】
１  消化器
２  容器
３  押圧ヘッド
４  ノズル
５  生分解界面活性剤
６  窒素ガス
７  ストロー
【図１】
2005287636.tif 000003
【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
家庭及び業務用厨房、さらには油類を使用する現場で使用する消火器において、該消火器の容器内には可溶化相が高濃度であって、乳化分散が速い生分解性界面活性剤を充填したことを特徴とする油火災用消火器。
【請求項２】
家庭及び業務用厨房、さらには油類を使用する現場で使用する消火器において、該消火器の容器内には可溶化相が高濃度であって、乳化分散が速い生分解性界面活性剤と窒素ガスを充填し、容器上端にはノズルを形成した押圧ヘッドを取付けると共に該押圧ヘッドから下方へストローを延ばしたことを特徴とする油火災用消火器。
【手続補正２】
【補正対象書類名】明細書
【補正対象項目名】全文
【補正方法】変更
【補正の内容】
【発明の詳細な説明】
【技術分野】
【０００１】
本発明は、各種油の酸化・未酸化状態を問わず油分を乳化させ、油火災を未然に防ぐ為に生分解性界面活性剤の各種油の乳化性能を利用した消火器に関するものである。
【背景技術】
【０００２】
消火器といってもその種類は数多くあり、(ａ)水槽付きポンプ消火器、(ｂ)泡消火器、(ｃ)粉末消火器、(ｄ)炭酸ガス消火器、(ｅ)酸アルカリ消火器などが知られている。これか各消火器の中でガソリンなどの油脂類の火災に対応できるものは、上記(ｂ)泡消火器、(ｃ)粉末消火器である。
ところで、上記消火器にて消火する場合、消火後には悪臭が残り、各種化学成分の熱化学反応によって消火しても油汚れや化学物質の熱変化による残渣の為に、後始末に手間がかかる場合が殆どである。
【０００３】
そして、通常の消火器の場合、その使用期限は２年間が限度とされ、その期間を過ぎれば該消火器は廃棄物として処分され、又は充填されている消火剤を交換するなどの作業が必要とされている。
【０００４】
また、消火器によっては緊急時の使用法にも定期的に消火練習などが義務化され、一般家庭において通常消火器の保管はもとより、定期検査などが面倒な為に消火器を常備することにためらいがある。一般家庭の場合、油火災は無防備に近い環境にあるといっても過言ではない。
【０００５】
また、一般家庭の簡易型消火器は消火能力を有していても、消火後の後始末に手間が掛かると共に、化学物質を使用している為に消火後に悪臭を発生する場合が殆どであることから常備していないのが一般的である。
【０００６】
又、従来の消火器では、油火災が一旦鎮火した場合であっても、鍋の中に存在する油分が継続した加熱状態にある環境下では、再発火する危険性は十分に考えられる。
【０００７】
そこで、各種油を使用する家庭や飲食店等の厨房現場において取り扱いが簡易であると共に、後始末が手軽な消火器の開発というテーマは業界が追求する課題である。そして、各種油を使用する一般家庭や業務用消火器では、消火方法や消火器に色々な問題があり、初期消火の段階で手間取ってしまうことで本格的火災発生に繋がる事故が多く報告されている。
【発明の開示】
【発明が解決しようとする課題】
【０００８】
このように、従来の消火器には上記のごとき問題がある。本発明が解決しようとする課題はこの問題点であり、油火災を簡単に消火することができ、又消火後に悪臭の発生はなく、しかも、期限の過ぎた場合であっても廃棄処分することなく洗剤として利用できる油火災用消火器を提供することである。
【課題を解決するための手段】
【０００９】
本発明に係る消火器は生分解性界面活性剤を消火剤とし、内部には窒素ガスを充填している。上記生分解性界面活性剤は油分を乳化・分散し、燃焼物の存在を無くすことが出来る。ここで、上記生分解性界面活性剤の具体的な種類は限定しないが、可溶化相が高濃度であると共に乳化分散が速く、可溶化相が低濃度で乳化分散が遅い一般的な水系洗剤とは異なる。従来の洗剤は鍋に付着した油分を分散するものではなく、剥離するに過ぎない。
【発明の効果】
【００１０】
生分解性界面活性剤を火元に吹き付けることで、油分を直ちに乳化・分散する為に燃焼物が無くなり、消火することが出来る。そして、消火後は無害な界面活性効果でそのまま洗浄することになり、火災発生現場が汚れることはない。又、生分解性界面活性剤は無臭であって、かつ２年間の有効期限を過ぎた後も、家庭用及び業務用の油落とし洗剤として最後まで使用でき、廃棄物として処分する必要はない。
【００１１】
従来、生分解性を有すとされる洗剤は危険な有害物を含んでいるものもある。また、Ｄ−リモネン系に関しては、生分解性の良さはあるが、地球温暖化係数を増加させる揮発性有機物を多く含んでいるが、これに対して本発明の消火器に充填される消火剤となる可溶化相が高濃度である生分解性界面活性剤は、無害である。又、引火性もなく、揮発性有機物もゼロであり、地球環境上も好ましい。
【実施例】
【００１２】
図１は本発明に係る消火器の一部断面を示している。この消火器１はスプレー式消火器であり、容器２の上端には押圧ヘッド３が設けられ、該押圧ヘッド３を指で押下げることで容器２内に充填されている消火剤がノズル４から噴出する。ノズル４は上記押圧ヘッド３の正面に設けられている。
【００１３】
そして、容器２には消火剤として生分解性界面活性剤５と窒素ガス６が充填され、上記押圧ヘッド３からストロー７が容器底まで延びている。押圧ヘッド３を指で押下げるならば、窒素ガス６の充填圧にて生分解性界面活性剤５はストロー７を流れてノズル４から噴出する。同図に示す消火器構造は従来から周知のものであり、他の構造にて構成した消火器を使用することは自由であり、本発明は消火器の構造に関する限定はしない。
【００１４】
ところで、本発明の特徴である上記生分解性界面活性剤５の１つとして、株式会社ベリタスが取扱っている「ＢｉｏＣａｔ−１４５」(商標)を使用することが出来る。
【００１５】
この生分解性界面活性剤５は無毒であり、FDA（米国農務省）の認可を受けている。金属に対し酸化、腐食性、塗料阻害等なく、７日間で９９％以上生分解する界面活性剤であり、EPA（米国環境保護局）（SNAP）の承認も受けていて、環境への影響は全くない。
【００１６】
「生分解性を有す」と言われる洗剤の殆どは有毒であり、危険な有害物や、「揮発性有機物」を多く含んでいる。本発明の消火器に使用する生分解性界面活性剤５は全く無害であり、引火性も無く、揮発性有機物も含んでおらず、生分解して自然に戻ることが出来る。
【００１７】
当該消火器の最大の特徴は、各種油を使用する家庭、業務用厨房に常備すれば、扱いも至って簡易である為、油が原因となる火災の初期消火に極めて有効であり、しかも無害であることから消火後の後処理が簡単である。そして、有効期間を過ぎた場合には廃棄することなく、洗剤として使用することが可能である。
【図面の簡単な説明】
【００１８】
【図１】本発明に係る消火器を示す断面図。
【符号の説明】
【００１９】
１  消火器
２  容器
３  押圧ヘッド
４  ノズル
５  生分解界面活性剤
６  窒素ガス
７  ストロー